(57)【要約】    【課題】  浸出水を低減し得る廃棄物埋立処理方法を提供する。    【解決手段】  廃棄物を収容して準好気的に前記廃棄物の処理を行う廃棄物埋立処理方法であって、収容部への廃棄物の収容において、収容部の底面部から各段部に廃棄物が到達するまでをそれぞれ一の層として、収容部に廃棄物を複数の層に分けて下側から順次収容し、複数の層のうち２層目以降の各層での廃棄物の収容では、水の流れ方向上流側から下流側への水の移動を堰き止めることが可能な堰部を溝部に形成し、廃棄物を直前に形成した廃棄物の層上に、溝部を埋めながら上流側から下流側に向けて敷いていく、廃棄物埋立処理方法。【選択図】  図７
2017136525.tif 000002
【特許請求の範囲】
【請求項１】
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部は、上下方向に複数の段部を有し、
前記段部は、前記上下方向と交差する方向に、且つ、一方から他方に向けて水が流れるように傾斜して延びているように形成された溝部を有しており、
前記収容部への前記廃棄物の収容においては、
前記収容部の底面部から順次各段部に到達するまでをそれぞれ一の層として、複数の層に分けて前記廃棄物を下側から順次収容し、
前記複数の層のうち２層目以降の各層での前記廃棄物の収容では、
前記水の流れ方向上流側から前記下流側への水の移動を堰き止めることが可能な堰部を前記段部の溝部に形成し、
前記廃棄物を前記直前に形成した層上に、該層が到達した段部の溝部を埋めながら前記上流側から下流側に向けて敷いていき、且つ、
前記堰部よりも前記上流側にて前記溝部で前記廃棄物と接触した水を前記浸出水として処理し、前記堰部よりも前記下流側にて前記溝部で前記廃棄物と接触していない水を外部環境に放出する廃棄物埋立処理方法。
【請求項２】
前記収容部は、前記遮水構造を形成するための、遮水層と、該遮水層の上面側に積層された水を通過させ得る空隙を有する保護層とを有する収容部用遮水シートを備えており、
前記溝部の表面部に配された前記収容部用遮水シートの前記保護層上に、水の通過を禁止する堰部用部材を配し、且つ、
前記堰部用部材が配された前記保護層の前記空隙に、流動性を有し、且つ、硬化することによって前記空隙を塞いで水の通過を禁止する止水剤を注入することによって、前記堰部を形成する、請求項１に記載の廃棄物埋立処理方法。
【請求項３】
前記収容部は、
前記遮水構造を形成するための、遮水層と、該遮水層の上面側に積層された水を通過させ得る空隙を有する保護層とを有し、前記堰部が形成される位置にて前記保護層が部分的に除去されて前記遮水層が部分的に露出している収容部用遮水シートと、
前記遮水層の露出している露出部分から前記溝部の内周に沿って前記溝部の内方に突出するように引き起こされるように、前記露出部分に連結された遮水片と、
前記遮水片を保護する保護部とを有しており、
前記保護部を除去して前記遮水片を露出させ、露出した前記遮水片を引き起こし、引き起こした前記遮水片に前記溝部の空間を遮蔽するように遮水板を連結することによって前記堰部を形成する、請求項１に記載の廃棄物埋立処理方法。
【請求項４】
前記各層での前記廃棄物の収容においては、前記廃棄物の外表面を被覆用遮水シートで覆う、請求項１〜３のいずれかに記載の廃棄物埋立処理方法。
【発明の詳細な説明】
【技術分野】
【０００１】
本発明は、廃棄物埋立処理方法に関する。
【背景技術】
【０００２】
従来、我が国の最終処分場は、安定型、管理型、遮断型の３型式に分類されている。
このうち、管理型最終処分場や一部の安定型最終処分場では、廃棄物を埋め立て、自然の浄化機能とその分解メカニズムを利用して、埋め立てた廃棄物を準好気的に処理する方法が用いられている。
かかる廃棄物埋立処理方法では、具体的には、廃棄物が収容されるように地盤に形成された、遮水構造を有する収容部と、該収容部に収容された廃棄物からの浸出水を集めて排出することが可能な集排水管部とを備えた廃棄物埋立処理設備を用い、収容部に廃棄物を収容して準好気的に廃棄物の処理を行っている。また、収容部の底面側から上端部に到達するまで、比較的長期にわたって廃棄物を収容していくことによって、埋め立てを行っている。
【０００３】
また、収容部は、上下方向と交差する方向に、且つ、一方から他方に向けて水が流れるように傾斜して延びているように形成された溝部を有する段部を上下方向に複数備えており、収容部への廃棄物の収容においては、収容部の底面部から段部に廃棄物が到達するまでを順次一の層として、収容部に廃棄物を複数の層に分けて順次収容している。このとき、各層においては、直前の層が到達した段部の溝部を廃棄物で埋めながら直前の層上に廃棄物を収容している。
【０００４】
この種の廃棄物埋立処理方法においては、降雨等によって収容部に収容した廃棄物に雨水等の水が接触すると、雨水等で廃棄物の汚染源が洗い流され、該汚染源を含有する浸出水（汚水）が発生するため、この浸出水を、集排水管部を通して収容部から外側に排出している。また、この浸出水を集排水管部から外部環境に放出すると自然環境の汚染につながるため、かかる汚染を防止すべく、集排水管部の出口側を浸出水処理部に連結し、集排水管部から排出された浸出水を、該浸出水処理部で処理した後、自然環境に放出している（特許文献１参照）。
【先行技術文献】
【特許文献】
【０００５】
【特許文献１】特開２００４−３５１２４２号公報
【発明の概要】
【発明が解決しようとする課題】
【０００６】
しかし、降雨量が比較的多い我が国においては、埋め立ての過程において、収容部に流入する雨水等が多く、その分、集排水管部から排出される浸出水も多くなるため、浸出水処理部による水処理の負担が多くなる。その結果、浸出水処理部で十分に処理されていない浸出水が自然環境に放出されるおそれがある。一方、浸出水処理部で十分に浸出水の処理を行おうとすれば、浸出水処理部を大型化する必要がある。
【０００７】
本発明は、上記事情に鑑み、浸出水を低減し得る廃棄物埋立処理方法を提供することを課題とする。
【課題を解決するための手段】
【０００８】
上記課題について本発明者らが鋭意研究を行ったところ、以下の知見を見出した。
すなわち、従来、収容部の底面部から複数の層に分けて順次収容する際、到達する段部の溝部に廃棄物を入れないように各層を形成し、２層目以降の各層での廃棄物の収容において、直前の層が到達した段部の溝部を埋めながら廃棄物を収容する。
しかし、溝部に部分的にでも廃棄物が埋められると、該溝部において雨水が廃棄物と接触する。この廃棄物と接触した雨水は溝部から外部環境に放出することができないため、本来であれば外部環境に放出できるはずの雨水を浸出水として処理しなければならず、その分、浸出水の量が増加してしまう。
そこで、２層目以降の各層での廃棄物の収容において、溝部での水の流れ方向上流側から下流側への水の移動を堰き止めることが可能な堰部を段部の溝部に形成し、廃棄物を直前に形成した層上に、該層が到達した段部の溝部を埋めながら上流側から下流側に向けて敷いていき、且つ、堰部よりも上流側にて溝部で廃棄物と接触した水を前記浸出水として処理し、堰部よりも下流側にて溝部で廃棄物と接触していない水を外部環境に放出することによって、溝部での浸出水の発生を低減し得ることを見出した。
ここで、堰部を形成しても、下流側から上流側に向けて廃棄物を敷いていくと、堰部よりも下流側では水が廃棄物と接触し、堰部の上流側では、水が廃棄物に接触していなくても堰部で堰止めされた水が収容部の底面部に向かって流れるため、いずれにしても溝部内の水を浸出水として処理しなければならない。
しかし、上流側から下流側に向けて廃棄物を敷いていくことによって、堰部の上流側で廃棄物に接触した水は、堰部で堰き止められて内側に浸出水として流れ込むが、堰部の下流側には移動しない。そして、溝部における堰部よりも下流側では、雨水等が廃棄物と接触することはないため、そのまま外部環境に放出することが可能になる。このように、溝部の埋め立てが堰部の下流側まで到達するまでは、該下流側の雨水等を外部環境に放出できるため、その分、浸出水の量を低減できることを見出した。特に、溝部の延在距離が長くなればなるほど、浸出水の低減効果が大きくなることを見出だして、本発明を完成するに至った。
【０００９】
すなわち、本発明は、
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部は、上下方向に複数の段部を有し、
前記段部は、前記上下方向と交差する方向に、且つ、一方から他方に向けて水が流れるように傾斜して延びているように形成された溝部を有しており、
前記収容部への前記廃棄物の収容においては、
前記収容部の底面部から順次各段部に到達するまでをそれぞれ一の層として、複数の層に分けて前記廃棄物を下側から順次収容し、
前記複数の層のうち２層目以降の各層での前記廃棄物の収容では、
前記水の流れ方向上流側から前記下流側への水の移動を堰き止めることが可能な堰部を前記段部の溝部に形成し、
前記廃棄物を前記直前に形成した層上に、該層が到達した段部の溝部を埋めながら前記上流側から下流側に向けて敷いていき、且つ、
前記堰部よりも前記上流側にて前記溝部で前記廃棄物と接触した水を前記浸出水として処理し、前記堰部よりも前記下流側にて前記溝部で前記廃棄物と接触していない水を外部環境に放出する廃棄物埋立処理方法である。
【００１０】
ここで、「準好気的に廃棄物の処理を行う」とは、収容部に収容した廃棄物からの浸出水を集排水管部から排出すると共に、該廃棄物の微生物分解に伴った発熱によって発生した廃棄物と外部環境との温度差によって集排水管部に空気を流入させ、該集排水管部を通して廃棄物に空気を供給することによって、廃棄物の好気的分解処理を行うことを意味する。
また、浸出水とは、廃棄物と接触した水を意味する。
【００１１】
かかる構成によれば、複数の層に分けて順次収容する際、２層目以降の各層での廃棄物の収容では、水の流れ方向上流側から下流側への水の移動を堰き止めることが可能な堰部を段部の溝部に形成し、廃棄物を直前に形成した層上に、該層が到達した段部の溝部を埋めながら上流側から下流側に向けて下側から敷いていき、且つ、堰部よりも上流側にて溝部で前記廃棄物と接触した水を浸出水として処理し、堰部よりも下流側にて溝部で前記廃棄物と接触していない水を外部環境に放出することができる。これによって、堰部の上流側で廃棄物に接触した雨水等は、堰部で堰き止められて収容部の内側に流入させて浸出水として処理できる一方、堰部の下流側には移動しない。また、溝部における堰部よりも下流側では、雨水等が廃棄物と接触しないため、そのまま外部環境に放出しても、外部環境の汚染を抑制し得る。このように、溝部の埋め立てが堰部の下流側まで到達するまでは、該下流側の雨水等を外部環境に放出できるため、その分、浸出水の量を低減できる。特に、溝部の延在距離が長くなればなるほど、浸出水の低減効果が大きくなる。
従って、簡便に浸出水を低減でき、しかも、廃棄物の準好気的な埋立処理を十分に行うことが可能となる。
【００１２】
上記構成の廃棄物埋立処理方法においては、
前記収容部は、前記遮水構造を形成するための、遮水層と、該遮水層の上面側に積層された水を通過させ得る空隙を有する保護層とを有する収容部用遮水シートを備えており、
前記溝部の表面部に配された前記収容部用遮水シートの前記保護層上に、水の通過を禁止する堰部用部材を配し、且つ、
前記堰部用部材が配された前記保護層の前記空隙に、流動性を有し、且つ、硬化することによって前記空隙を塞いで水の通過を禁止する止水剤を注入することによって、前記堰部を形成することが好ましい。
【００１３】
ここで、遮水層と、該遮水層の上面側に積層された保護層とを有する収容部用遮水シートを用いた場合には、該収容部用遮水シートの保護層上に堰部用部材を配しても、堰部用部材と遮水層との間に存在する保護層の空隙内部を伝って廃棄物と接触した水が上流側から下流側に移動してしまうおそれがある。
しかし、保護層に止水剤を注入することによって、注入した止水剤が硬化して空隙を埋めて塞ぐことになり、これにより、保護層を伝って廃棄物と接触した水が上流側から下流側に移動することを抑制し得る。
このように、堰部用部材を設け、保護層に止水剤を注入するだけで堰部を形成し得るため、簡便である。
【００１４】
上記構成の廃棄物埋立処理方法においては、
前記収容部は、
前記遮水構造を形成するための、遮水層と、該遮水層の上面側に積層された水を通過させ得る空隙を有する保護層とを有し、前記堰部が形成される位置にて前記保護層が部分的に除去されて前記遮水層が部分的に露出している収容部用遮水シートと、
前記遮水層の露出している露出部分から前記溝部の内周に沿って前記溝部の内方に突出するように引き起こされるように、前記露出部分に連結された遮水片と、
前記遮水片を保護する保護部とを有しており、
前記保護部を除去して前記遮水片を露出させ、露出した前記遮水片を引き起こし、引き起こした前記遮水片に前記溝部の空間を遮蔽するように遮水板を連結することによって前記堰部を形成することが好ましい。
【００１５】
ここで、遮水層と、該遮水層の上面側に積層された保護層とを有する収容部用遮水シートを用いた場合には、該収容部用遮水シートの保護層上に堰部用部材を配しても、堰部用部材と遮水層との間に存在する保護層の空隙内部を伝って廃棄物と接触した水が上流側から下流側に移動してしまうおそれがある。
しかし、収容部が、遮水層の露出している露出部分から溝部の内周に沿って該溝部の内方に突出するように引き起こされるように、該露出部分に連結された遮水片と、遮水片を保護する保護部とを有しており、保護部を除去して遮水片を露出させ、露出した遮水片を引き起こし、引き起こした遮水片に、溝部の空間を遮蔽するように遮水板を連結して堰部を形成することによって、水を通過し得る保護層を間に介することなく、遮水層と遮水片とを連結させ得る。また、堰部が必要になるときまでは、保護部よって遮水片を保護することができる。そして、堰部を形成する際には、保護部を除去して遮水片を露出させ、遮水片を引き起こして遮水板と連結することによって堰部を形成することができ、これにより、遮水板、遮水片及び遮水層によって水の移動を堰き止めることができる。
このように、保護部を除去して遮水片を引き起こし、該遮水片と遮水板とを連結するだけで、保護層の不織布を伝って廃棄物と接触した水が移動することを抑制しつつ、堰部を形成できるため、簡便である。しかも、堰部を形成するまでは、保護部で遮水片を保護することができるため、日射等に晒されて遮水片が劣化することを抑制し得る。
【００１６】
上記構成の廃棄物埋立処理方法においては、前記各層での前記廃棄物の収容においては、前記廃棄物の外表面を被覆用遮水シートで覆うことが好ましい。
【００１７】
ここで、埋め立ての過程において、浸出水の量を低減する方法として、例えば、収容部全体を屋根で覆う方法が考えられる。
しかし、この方法では、作業員が廃棄物を運搬、投棄するのに十分な高さを有する屋根を、収容部全体を覆う大きさで建設する必要があるため、その分、大がかりな建設作業が発生する。また、屋根の維持管理作業も必要となる。
また、浸出水の量を低減する別の方法として、例えば、収容部に廃棄物を収容した後、その上面を覆土で覆うことによって廃棄物に接触する雨水等を低減する方法が考えられる。
しかし、廃棄物を覆土で覆う方法では、覆土が雨水等を十分に保持できないため、該覆土を通過して廃棄物に到達する雨水等の量を十分に低減できず、その結果、浸出水を十分に低減できない。また、廃棄物の上部側の空隙に雨水等が入り込むと、通気性が妨げられるため、廃棄物内が嫌気的環境となり、その結果、廃棄物の準好気的な分解処理を十分に行うことができない。このように、廃棄物を覆土で覆うだけでは、廃棄物の準好気的な処理を十分に行うことが困難である。
しかし、廃棄物の外表面を被覆用遮水シートで覆うことによって、覆土で覆う場合よりも、埋め立ての過程において廃棄物への雨水等の流入を低減することができ、しかも、廃棄物の準好気的な分解処理を十分に行うことが可能になる。また、遮水シートで外表面を覆うだけでよいため、屋根を建設する場合よりも、作業性に優れる。
従って、簡便に浸出水をより低減でき、しかも、廃棄物の準好気的な埋立処理を十分に行うことが可能となる。
【発明の効果】
【００１８】
以上の通り、本発明によれば、浸出水を低減し得る廃棄物埋立処理方法が提供される。
【図面の簡単な説明】
【００１９】
【図１】本発明の一実施形態に係る廃棄物埋立処理方法に用いられる廃棄物埋立処理設備の概略上面図
【図２】図１のＡＡ矢視断面図
【図３】図１の廃棄物埋立処理設備の収容部に１層目の廃棄物を収容する状態を示す概略上面図
【図４】図３のＢＢ矢視断面図
【図５】図１の廃棄物埋立処理設備の収容部に１層目の廃棄物が収容された状態を示す概略上面図
【図６】図５のＣＣ矢視断面図
【図７】図５の廃棄物埋立処理設備の収容部に２層目の廃棄物が収容される状態を示概略側面断面図
【図８】堰部によって溝部の上流側の水が堰き止められた状態を示す概略断面図
【図９】収容部用遮水シートの層構成を示す概略断面図
【図１０】堰部が形成される前の溝部を示す概略側面断面図
【図１１】図１０の収容部遮水シートの保護層に止水剤が注入されて堰部が形成された状態を示す概略図
【図１２】溝部の収容部用遮水シートの遮水層に遮水片が連結され、保護部で覆われた状態を示す概略側面断面図
【図１３】図１２のＤＤ矢視断面図
【図１４】図１３の保護部が除去された状態を示す概略図
【図１５】図１４の遮水片が引き起こされた状態を示す概略図
【図１６】図１５の遮水片が引き起こされた状態を部分的に拡大して示す概略図
【図１７】図１２の保護部が除去されて遮水片に遮水板が連結され、固定部で固定されることによって堰部が形成された状態を示す概略側面断面図
【図１８】図１７のＥＥ矢視断面図
【図１９】実施例で用いた廃棄物埋立処理設備の収容部、及び、モニタリング箇所を示す概略上面図
【図２０】図１９の地点Ｂにおけるモニタリング結果を示すグラフ
【図２１】図１９の地点Ｂにおけるモニタリング結果を示すグラフ
【図２２】図１９の地点Ｅにおけるモニタリング結果を示すグラフ
【図２３】図１９の地点Ｆにおけるモニタリング結果を示すグラフ
【図２４】図１９の地点Ａにおける集排水管部内のモニタリング箇所を示す概略図
【発明を実施するための形態】
【００２０】
以下、本発明の実施形態について説明する。
【００２１】
本実施形態の廃棄物埋立処理方法は、
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部は、上下方向に複数の段部を有し、
前記段部は、前記上下方向と交差する方向に、且つ、一方から他方に向けて水が流れるように傾斜して延びているように形成された溝部を有しており、
前記収容部への前記廃棄物の収容においては、
前記収容部の底面部から順次各段部に到達するまでをそれぞれ一の層として、複数の層に分けて前記廃棄物を下側から順次収容し、
前記複数の層のうち２層目以降の各層での前記廃棄物の収容では、
前記水の流れ方向上流側から前記下流側への水の移動を堰き止めることが可能な堰部を前記段部の溝部に形成し、
前記廃棄物を前記直前に形成した層上に、該層が到達した段部の溝部を埋めながら前記上流側から下流側に向けて敷いていき、且つ、
前記堰部よりも前記上流側にて前記溝部で前記廃棄物と接触した水を前記浸出水として処理し、前記堰部よりも前記下流側にて前記溝部で前記廃棄物と接触していない水を外部環境に放出する廃棄物埋立処理方法である。
【００２２】
まず、本実施形態の廃棄物埋立処理方法で用いられる廃棄物埋立処理設備について説明する。
【００２３】
図１〜図７に示すように、廃棄物埋立処理設備１は、
廃棄物１５が収容されるように地盤３に形成された、遮水構造７を有する収容部５と、
前記収容部５に収容された前記廃棄物１５からの浸出水１７を集めて排出することが可能な集排水管部１３と、前記集排水管部１３から排出された浸出水１７を処理する浸出水処理部４０とを備えている。
【００２４】
収容部５は、廃棄物１５を収容するものであり、地盤３に凹状に形成されている。収容部５は、例えば、掘削や盛土によって凹状に形成され得る。
前記収容部５は、上下方向に複数の段部９を有している。
前記段部９は、前記上下方向と交差する方向に、且つ、一方から他方に向けて水が流れるように傾斜して延びているように形成された溝部１０を有している。なお、図１〜図７では、上記溝部１０における水の流れ方向上流側が右側、下流側が左側に相当する。また、段部９は、収容部５の側面（法面）に、所定の高さごとに収容部５の底面を囲むように環状に形成されている。
【００２５】
収容部５は、その表面側（廃棄物１５と接する面側）に遮水構造７としての収容部用遮水シート７を有しており、これにより、収容部５に収容された廃棄物１５に雨水等が接触して浸出水１７が発生しても、該浸出水１７が地盤３に流入することを抑制し得るようになっている。
この収容部用遮水シート７は、収容部５の底面部、側面部、段部９の表面部、及び、溝部１０の表面部を覆うように配されている。
収容部５の底面部は、一方から他方に向けて傾斜するように形成されている。また、この底面部の傾斜に沿って、収容部５の内側から外側まで延び、且つ、該内側と外側とを連通させる集排水管部１３が配されている。このように集排水管部１３が配されていることによって、該集排水管部１３が収容部５の内側から外側に向かって下方に傾斜することになり、これにより、集排水管部１３に流入した浸出水１７は、収容部５から外側に排出されることになる。
ここでは、集排水管部１３の傾斜方向と、溝部１０の傾斜方向とが同方向とされているが、これら方向が異なっていてもよい。
収容部５の段部９の溝部１０には、後述するように、堰部２５が形成されるようになっている。
【００２６】
収容部用遮水シート７として、例えば、図９に示すように、最も下方（底面側）から、保護マット層（保護層）７ａ、下部遮水シート層（遮水層）７ｂ、保護マット層（保護層）７ｃ、上部遮水シート層（遮水層）７ｄ、保護マット層（保護層）７ｅの順に積層されて形成された５層構造のシートが挙げられる。
最下方、中間、最上方に配される保護マット層７ａ、７ｃ、７ｅは、下部及び上部遮水シート層７ｂ、７ｄを保護するためのものである。該保護マット７ａ、７ｃ、７ｅとしては、例えば、内部に独立した気泡を有する発泡材といった、水の通過を許容しない空隙を有する材料によって形成されたものであっても、内部に連通した空隙を有する不織布といった、水を通過させ得る空隙を有するものであってもよい。保護マット７ａ、７ｃ、７ｅとして、水を通過させ得る空隙を有するものを用いる場合には、後述するようにして堰部２５を形成することが好ましい。
上記保護マット層７ａ、７ｂ、７ｃ間に配される上部及び下部遮水シート層７ｂ、７ｄは、水の通過を許容しないシート層である。該上部及び下部遮水シート層７ｂ、７ｄとしては、例えばゴム材料から形成されたものが挙げられる。
なお、収容部用遮水シート７は、地盤３への浸出水１７の流入を抑制し得るものであればよく、特に限定されるものではない。
さらに、収容部用遮水シート７は、紫外線に対する耐久性を有する遮光シート層を備えていてもよい。かかる遮光シート層を備えることにより、日射等による収容部用遮水シート７の劣化を抑制し得る。なお、収容部用遮水シート７において、最上方に配される保護マット層７ｅが遮光機能を有する、すなわち、遮光シート層としての機能を兼ね備える構成を採用してもよい。
【００２７】
後述する図１０、図１３に示すように、収容部用遮水シート７は、段部９及び溝部１０の表面も覆っている。
また、溝部１０の表面に配された収容部用遮水シート７の上面には、該収容部用遮水シート７がずれないようにこれを上方から押さえて固定するシート固定部２６が配されている。該シート固定部２６は、溝部１０の底面側を埋めるように溝部１０の全体にわたって配されており、溝部１０内の水はシート固定部２６の上面を通過するようになっている。シート固定部２６は、例えば、コンクリートによって形成され得る。
【００２８】
収容部５の底面部には、収容部５に収容された廃棄物１５からの浸出水１７を集めて排出することが可能な集排水管部１３が備えられている。
具体的には、集排水管部１３には、該集排水管部１３の外側から内側に浸出水１７が通過できるような孔部（不図示）が複数形成されており、該孔部を通して浸出水１７が集排水管部１３内に流入されるようになっている。
また、集排水管部１３は、上記したように、収容部５の内側から外側まで延びるように、且つ、該内側から外側に向かって下方に傾斜するように配されている。これにより、集排水管部１３に流入した浸出水１７は、集排水管部１３内を通って収容部５の外側に排出されるようになっている。
【００２９】
また、集排水管部１３としては、例えば、収容部５の底面部全体に配されるように、収容部５の内側から外側まで延びる幹線部１３ａ、該幹線部１３ａから枝分かれした枝管部１３ｂとを有するものを採用し得る。
枝管部１３ｂは、幹線部１３ａから収容部５の底面部に沿って延び、さらに、側面部に沿って上方に、先端が廃棄物１５の外表面よりも上方に突き出して外部環境に露出しているように延びている形状に形成されている。この枝管部１３ｂは、廃棄物１５の埋立に伴って、その廃棄物１５の量に応じて、継ぎ足しによる延伸などによって長くされるようになっており、これによって、該枝管部１３ｂの先端が常に廃棄物１５の上方に露出しているようになっている。
幹線部１３ａから分岐している枝管部１３ｂの数量は特に限定されない。また、枝管部１３ｂから、さらに別の枝管部１３ｂが分岐していてもよい。
幹線部１３ａ、及び、枝管部１３ｂには、複数の孔部が形成されており、この孔部を介して、浸出水１７が内部に流入するようになっており、流入した浸出水１７は幹線部１３ａの下流側端部（浸出水処理部４０側の端部）から浸出水処理部４０に排出されるようになっている。一方、幹線部１３ａの下流側端部には外部環境から空気が流入し、幹線部１３ａに流入した空気は、さらに各枝管部１３ｂに流入し、各枝端部１３ｂの先端部（幹線部１３ａとは反対の側の端部）から外部環境に排出されるようになっている。このとき、幹線部１３ａ及び枝管部１３ｂの孔部を通して廃棄物１５に空気が供給されるようになっている。
集排水管部１３の材質及び肉厚は、特に限定されるものではないが、収容される廃棄物１５の重量等に応じて適宜設定し得る。
【００３０】
なお、本実施形態の廃棄物埋立処理設備１は、集排水管部１３を囲むように砕石が配されてなる砕石部を備えていてもよい。かかる砕石部により、集排水管部１３の孔部が詰まることを抑制し得る。
【００３１】
浸出水処理部４０は、集排水管部１３から排出された浸出水１７を処理するものである。
浸出水処理部４０としては、従来公知の水処理装置を用い得る。該浸出水処理部４０で処理された処理水が外部環境に放出されるようになっている。
【００３２】
次に、上記廃棄物埋立処理設備１を用いた本実施形態の廃棄物埋立処理方法について説明する。
【００３３】
本実施形態の廃棄物埋立処理方法は、
上記廃棄物埋立処理設備１を用い、
前記収容部５に前記廃棄物を収容して準好気的に前記廃棄物１５の処理を行う廃棄物埋立処理方法であって、
前記収容部５への前記廃棄物１５の収容においては、
前記収容部５の底面部から順次各段部９に到達するまでをそれぞれ一の層１６として、複数の層１６（ここでは、層１６ａ、１６ｂ、１６ｃ、１６ｄ）に分けて前記廃棄物１５を下側から順次収容し、
前記複数の層１６のうち２層目以降の各層１６での前記廃棄物１５の収容では、
前記水の流れ方向上流側から前記下流側への水の移動を堰き止めることが可能な堰部２５を前記段部９の溝部１０に形成し、
前記廃棄物１５を前記直前に形成した層１６（ここでは、層１６ａ、１６ｂ、１６ｃ）上に、該層１６が到達した段部９の溝部１０を埋めながら前記上流側から下流側に向けて敷いていき、且つ、
前記堰部２５よりも前記上流側にて前記溝部１０で前記廃棄物１５と接触した水を前記浸出水１７として処理し、前記堰部２５よりも前記下流側にて前記溝部１０で前記廃棄物１５と接触していない水を外部環境に放出する廃棄物埋立処理方法である。
また、本実施形態の廃棄物埋立処理方法では、前記各層１６での前記廃棄物１５の収容においては、前記廃棄物１５の外表面を被覆用遮水シート２１で覆う。
【００３４】
具体的には、まず、図３及び図４に示すように、運搬された廃棄物１５を、１つ目の段部９ａに到達するまで、該到達する段部９ａの溝部１０ａに廃棄物１５が入らないようにしつつ、収容部５の底面部に投入する。投入後、廃棄物１５への雨水等の流入を抑制するように、廃棄物１５の外表面１５ａを被覆用遮水シート２１で覆う。より具体的には、例えば、段部廃棄物１５を投入し、廃棄物１５全体が段部９ａに到達したとき、該廃棄物１５の外表面１５ａを、覆土（不図示）を介して被覆用遮水シート２１で覆うことができる。また、廃棄物１５全体が段部９ａに到達する前に、覆土（不図示）を介して被覆用遮水シート２１で覆ってもよい。
このように、本実施形態では、廃棄物１５を投入し、該廃棄物１５の外表面１５ａ上に覆土（不図示）を配し、該覆土を介して廃棄物１５の外表面１５ａを被覆用遮水シート２１で覆う。
図５及び図６に示すように、１層目の廃棄物１５の層１６ａが形成されたとき、被覆用遮水シート２１は、該１層目の層１６ａの全体を、覆土（不図示）を介して覆っている。また、被覆用遮水シート２１は、廃棄物１５の層１６ａと、１つ目の段部９ａの溝部１０ａよりも内側の表面部とに跨ってこれらを覆っており、被覆用遮水シート２１上の雨水等が溝部１０ａに流入するようになっている。この場合、被覆用遮水シート２１上の雨水等が段部９ａの溝部１０ａに流入するように、被覆用遮水シート２１が傾斜されて配され、具体的には、外表面１５ａが傾斜するように廃棄物１５を収容することによって、被覆用遮水シート２１が傾斜されて配される。
１層目の層１６ａの形成においては、収容部５の底面部に上流側から下流側に向けて廃棄物１５を敷いていっても、下流側から上流側に向けて廃棄物１５を敷いていってもよいが、例えば、図３及び図４に示すように、下流側から上流側に向けて敷いていくことが好ましい。
上流側から下流側に向けて廃棄物１５を敷いていくと、底面部の被覆用遮水シート７に負担がかかり、収容部用遮水シート７がずれるおそれがあるが、下流側から上流側に向けて廃棄物１５を敷いていくと、かかる負担を低減し得る。
【００３５】
このようにして１層目の層１６ａを形成した後、次に、２層目の層１６ｂを形成すべく、廃棄物１５を、直前の層１６ａ上に収容する。
図７に示すように、この収容では、上流側から下流側への水の移動を堰き止めることが可能な堰部２５を１つ目の段部９ａの溝部１０ａに形成し、被覆用遮水シート２１を順次捲りつつ、廃棄物１５を直前に形成した層１６ａ上に、該層１６ａが到達した段部９ａの溝部１０ａを埋めながら上流側から下流側に向けて敷いていき、且つ、堰部２５よりも上流側にて溝部１０ａで廃棄物１５と接触した水を浸出水１７として処理し、堰部２５よりも下流側にて溝部１０ａで廃棄物１５と接触していない水を外部環境に放出する。
被覆用遮水シート２１を捲るときには、作業スペースを設け、該スペースの下流側まで捲り、且つ、該スペースの下流側に土を盛って区画堰６０を形成し、該区画堰６０の上面に被覆用遮水シート２１の上流側端部が位置するように、該被覆用遮水シート２１を捲る。すなわち、直前の層１６ａ上の被覆用遮水シート２１を上流側から捲り、このように捲る際、盛土によって上流側と下流側とを区画する区画堰６０を形成し、該区画堰６０上に被覆用遮水シート２１の最上流側の端部が位置するように、該被覆用シート２１を捲る。
また、廃棄物１５を敷いていくときには、次の２つ目の段部９ｂの高さに到達するまで、該到達する段部９ｂの溝部１０ｂに廃棄物１５が入らないようにしつつ、廃棄物１５を順次収容する。また、廃棄物１５を覆土で覆う。
さらに、収容した廃棄物１５の外表面１５ａを、上記と同様、覆土（不図示）を介して被覆用遮水シート２１で覆う。
例えば、図示はしないが、廃棄物１５全体が段部９ｂに到達したとき、該廃棄物１５の外表面１５ａを、覆土を介して被覆用遮水シート２１で覆っても、廃棄物１５全体が段部９ｂに到達する前に、該廃棄物１５の外表面１５ａを、覆土を介して被覆用遮水シート２１で覆ってもよい。
廃棄物１５全体が段部９ｂに到達する前に被覆用遮水シート２１で覆う場合には、図示はしないが、例えば、２層目の層１６ｂをさらに複数の層（小分け層）に分けて敷いていき、各小分け層を敷いたとき、該各小分け層を構成する廃棄物１５の外表面１５ａを、覆土を介して被覆用遮水シート２１で覆ってもよい。この場合において、次の小分け層を形成すべく廃棄物１５を敷いていくときには、被覆用遮水シート２１を捲り、上流側と下流側とを区画する区画堰を形成し、該区画堰上に被覆用遮水シート２１の最上流側の端部が位置するように、覆土を介して被覆用遮水シート２１で覆ってもよい。この場合、上流側では、直前の小分け層用の被覆用遮水シート２１が捲られて直前の層が露出され、次の小分け層を形成する廃棄物１５の外表面１５ａが次の小分け層用の被覆用遮水シート２１で覆われ、下流側では、直前の小分け層用の被覆用遮水シート２１が残っており、当該被覆用遮水シート２１の最上流側の端部が区画堰上に位置することになる。また、最後（最上）の小分け層が形成されたとき、廃棄物１５の外表面１５ａが段部９ｂに到達することになる。
また、上記の他、廃棄物１５を投入した都度、その外表面１５ａを、覆土を介して被覆用遮水シート２１で覆ってもよい。
この被覆用遮水シート２１としては、１層目の層１６ａを覆う被覆用シート２１とは別途のシートを用いても、同じシートを適宜広げて用いてもよい。
２層目の層１６ｂが形成されたとき、被覆用遮水シート２１は、覆土（不図示）を介して該２層目の層１６ｂの全体を覆っている。また、被覆用遮水シート２１は、廃棄物１５の層１６ｂと、２つ目の段部９ｂの溝部１０ｂよりも内側の表面部とに跨ってこれらを覆っており、被覆用遮水シート２１上の雨水等が該段部９ｂの溝部１０ｂに流入するようになっている。この場合、被覆用遮水シート２１上の雨水等が段部９ｂの溝部１０ｂに流入するように、被覆用遮水シート２１が傾斜されて配され、具体的には、外表面１５ａが傾斜するように廃棄物１５を収容することによって、被覆用遮水シート２１が傾斜されて配される。
【００３６】
このようにして２層目の層１６ｂを形成した後、次に、３層目の層１６ｃを形成すべく、廃棄物１５を、直前の層１６ｂ上に収容する。
この収容では、上流側から下流側への水の移動を堰き止めることが可能な堰部２５を２つ目の段部９ｂの溝部１０ｂに形成し、被覆用遮水シート２１を順次捲りつつ、廃棄物１５を直前に形成した層１６ｂ上に、該層１６ｂが到達した段部９ｂの溝部１０ｂを埋めながら上流側から下流側に向けて敷いていき、且つ、堰部２５よりも上流側にて溝部１０ｂで廃棄物１５と接触した水を浸出水１７として処理し、堰部２５よりも下流側にて溝部１０ｂで廃棄物１５と接触していない水を外部環境に放出する。
２層目の層の形成と同様、被覆用遮水シート２１を捲るときには、作業スペースを設け、該スペースの下流側まで捲り、且つ、該スペースの下流側に土を盛って区画堰６０を形成し、該区画堰の上面に被覆用遮水シート２１の上流側端部が位置するように、該被覆用遮水シート２１を捲る。すなわち、直前の層１６ｂ上の被覆用遮水シート２１を上流側から捲り、このように捲る際、盛土によって上流側と下流側とを区画する区画堰６０を形成し、該区画堰６０上に被覆用遮水シート２１の最上流側の端部が位置するように、該被覆用シート２１を捲る。
また、廃棄物１５を敷いていくときには、次の３つ目の段部９ｃの高さに到達するまで、該到達する段部９ｃの溝部１０ｃに廃棄物１５が入らないようにしつつ、廃棄物１５を収容する。
さらに、収容した廃棄物１５の外表面１５ａを、上記と同様、覆土（不図示）を介して被覆用遮水シート２１で覆う。
例えば、図示はしないが、廃棄物１５全体が段部９ｃに到達したとき、該廃棄物１５の外表面１５ａを、覆土を介して被覆用遮水シート２１で覆っても、廃棄物１５全体が段部９ｃに到達する前に、該廃棄物１５の外表面１５ａを、覆土を介して被覆用遮水シート２１で覆ってもよい。
廃棄物１５全体が段部９ｃに到達する前に被覆用遮水シート２１で覆う場合には、図示はしないが、例えば、３層目の層１６ｃをさらに複数の層（小分け層）に分けて敷いていき、各小分け層を敷いたとき、該各小分け層を構成する廃棄物１５の外表面１５ａを、覆土を介して被覆用遮水シート２１で覆ってもよい。この場合において、次の小分け層を形成すべく廃棄物１５を敷いていくときには、上記と同様、被覆用遮水シート２１を捲り、上流側と下流側とを区画する区画堰を形成し、該区画堰上に被覆用遮水シート２１の最上流側の端部が位置するように、覆土を介して被覆用遮水シート２１で覆ってもよい。この場合、上流側では、直前の小分け層用の被覆用遮水シート２１が捲られて直前の層が露出され、次の小分け層を形成する廃棄物１５の外表面１５ａが次の小分け層用の被覆用遮水シート２１で覆われ、下流側では、直前の小分け層用の被覆用遮水シート２１が残っており、当該被覆用遮水シート２１の最上流側の端部が区画堰上に位置することになる。また、最後（最上）の小分け層が形成されたとき、廃棄物１５の外表面１５ａが段部９ｃに到達することになる。
また、上記の他、廃棄物１５を投入した都度、その外表面１５ａを、覆土を介して被覆用遮水シート２１で覆ってもよい。
この被覆用遮水シート２１としては、２層目の層１６ｂを覆う被覆用シート２１とは別途のシートを用いても、同じシートを適宜広げて用いてもよい。
３層目の層１６ｃが形成されたとき、被覆用遮水シート２１は、覆土（不図示）を介して該３層目の層１６ｃの全体を覆っている。また、被覆用遮水シート２１は、廃棄物１５の層１６ｃと、３つ目の段部９ｃの溝部１０ｃよりも内側の表面部とに跨ってこれらを覆っており、被覆用遮水シート２１上の雨水等が該段部９ｃの溝部１０ｃに流入するようになっている。この場合、被覆用遮水シート２１上の雨水等が段部９ｃの溝部１０ｃに流入するように、被覆用遮水シート２１が傾斜されて配され、具体的には、外表面１５ａが傾斜するように廃棄物１５を収容することによって、被覆用遮水シート２１が傾斜されて配される。
【００３７】
このようにして３層目の層１６ｃを形成した後、次に、４層目の層１６ｄを形成すべく、廃棄物１５を、直前の層１６ｃ上に収容する。
この収容では、上流側から下流側への水の移動を堰き止めることが可能な堰部２５を３つ目の段部９ｃの溝部１０ｃに形成し、被覆用遮水シート２１を順次捲りつつ、廃棄物１５を直前に形成した層１６ｃ上に、該層１６ｃが到達した段部９ｃの溝部１０ｃを埋めながら上流側から下流側に向けて敷いていき、且つ、堰部２５よりも上流側にて溝部１０ｃで廃棄物１５と接触した水を浸出水１７として処理し、堰部２５よりも下流側にて溝部１０ｃで廃棄物１５と接触していない水を外部環境に放出する。
３層目の層の形成と同様、被覆用遮水シート２１を捲るときには、作業スペースを設け、該スペースの下流側まで捲り、且つ、該スペースの下流側に土を盛って区画堰６０を形成し、該区画堰の上面に被覆用遮水シート２１の上流側端部が位置するように、該被覆用遮水シート２１を捲る。すなわち、直前の層１６ｃ上の被覆用遮水シート２１を上流側から捲り、このように捲る際、盛土によって上流側と下流側とを区画する区画堰６０を形成し、該区画堰６０上に被覆用遮水シート２１の最上流側の端部が位置するように、該被覆用シート２１を捲る。
また、廃棄物１５を敷いていくときには、収容部５の上端部（開口端部）の高さに到達するまで、廃棄物１５を順次収容する。
さらに、収容した廃棄物１５の外表面１５ａを、上記と同様、覆土（不図示）を介して被覆用遮水シート２１で覆う。
例えば、図示はしないが、廃棄物１５全体が収容部５の上端部に到達したとき、該廃棄物１５の外表面１５ａを、覆土を介して被覆用遮水シート２１で覆っても、廃棄物１５全体が収容部５の上端部に到達する前に、該廃棄物１５の外表面１５ａを、覆土を介して被覆用遮水シート２１で覆ってもよい。
廃棄物１５全体が段部９ｄに到達する前に被覆用遮水シート２１で覆う場合には、図示はしないが、例えば、４層目の層１６ｄをさらに複数の層（小分け層）に分けて敷いていき、各小分け層を敷いたとき、該各小分け層を構成する廃棄物１５の外表面１５ａを、覆土を介して被覆用遮水シート２１で覆ってもよい。この場合において、次の小分け層を形成すべく廃棄物１５を敷いていくときには、上記と同様、被覆用遮水シート２１を捲り、上流側と下流側とを区画する区画堰を形成し、該区画堰上に被覆用遮水シート２１の最上流側の端部が位置するように、覆土を介して被覆用遮水シート２１で覆ってもよい。この場合、上流側では、直前の小分け層用の被覆用遮水シート２１が捲られて直前の層が露出され、次の小分け層を形成する廃棄物１５の外表面１５ａが次の小分け層用の被覆用遮水シート２１で覆われ、下流側では、直前の小分け層用の被覆用遮水シート２１が残っており、当該被覆用遮水シート２１の最上流側の端部が区画堰上に位置することになる。また、最後（最上）の小分け層が形成されたとき、廃棄物１５の外表面１５ａが収容部５の上端部に到達することになる。
また、上記の他、廃棄物１５を投入した都度、その外表面１５ａを、覆土を介して被覆用遮水シート２１で覆ってもよい。
この被覆用遮水シート２１としては、３層目の層１６ｃを覆う被覆用シート２１とは別途のシートを用いても、同じシートを適宜広げて用いてもよい。
４層目の層１６ｄが形成されたとき、被覆用遮水シート２１は、覆土（不図示）を介して該４層目の層１６ｄの全体を覆っている。また、被覆用遮水シート２１は、廃棄物１５の層１６ｄと、収容部５の最上部（開口端部）とに跨ってこれらを覆っている。この場合、被覆用遮水シート２１を傾斜しているように配し、傾斜している被覆用遮水シート２１の下方側端部に不図示の集水ピットを配し、被覆用遮水シート２１上の雨水等を集水ピットに送り、該集水ピットから不図示のポンプ等によって外部環境に放出する。この被覆用遮水シート２１は、具体的には、外表面１５ａが傾斜するように廃棄物１５を収容することによって、傾斜されて配される。
【００３８】
そして、収容部５の最上部（開口端部）まで廃棄物１５が到達し、廃棄物１５の最上の層１６ｄが形成されて該廃棄物１５の収容が完了した後、覆土（不図示）を介して廃棄物１５の外表面１５ａを被覆用遮水シート２１で覆ったまま、または、覆土（不図示）を残しつつ被覆用遮水シート２１を除去して、外表面１５ａ上に、例えばアスファルト等によって舗装を施してもよい。この場合、廃棄物１５の収容が完了してから舗装までの間に比較的時間がかかるような場合には、舗装までの間、収容が完了するまでの間に用いていた被覆用遮水シート２１よりも耐久性の高い被覆用遮水シート２１を用い、該遮水シートで覆土（不図示）を介して廃棄物１５の外表面１５ａを覆ってもよい。
【００３９】
なお、各層１６の形成において、上記したように各段部９または収容部５の最上部に到達するまでの間で廃棄物１５を収容していく際には、廃棄物１５の外表面１５ａが傾斜しているように廃棄物１５を収容し、その上を、覆土（不図示）を介して被覆用遮水シート２１で覆い、傾斜している被覆用遮水シート２１の下方側端部に不図示の集水ピットを配し、被覆用遮水シート２１上の雨水等を集水ピットに送り、該集水ピットから不図示のポンプ等によって外部環境に放出してもよい。これにより、被覆用遮水シート２１が段部９の溝部１０と繋がっていない場合であっても、被覆用遮水シート２１上の雨水等を廃棄物１５と接触させることなく外部環境に放出することができる。
【００４０】
また、各溝部１０において、形成する堰部２５の数量は、上流側から下流側への水の移動を堰止めるように２つ以上であればよく、特に限定されるものではない。この数量は、適宜設定し得る。
また、５つ目以降の廃棄物１５の層を形成する場合には、２層目〜４層目の層１６ｂ〜１６ｄの形成と同様にして、各相当する段部９の溝部１０に堰部２５を形成し、廃棄物１５を敷いていけばよい。
【００４１】
上記したように、複数の層１６に分けて順次収容する際、２層目以降の各層１６での廃棄物１５の収容では、水の流れ方向上流側から下流側への水の移動を堰き止めることが可能な堰部２５を段部９の溝部１０に形成し、廃棄物１５を直前に形成した層１６上に、該層１６が到達した段部９の溝部１０を埋めながら上流側から下流側に向けて敷いていき、且つ、堰部２５よりも上流側にて溝部９で廃棄物１５と接触した水を浸出水１７として処理し、堰部２５よりも下流側にて溝部９で廃棄物１５と接触していない水を外部環境に放出することができる。これによって、図８に示すように、堰部２５の上流側で廃棄物１５に接触した雨水等は、堰部２５で堰き止められて収容部５の内側に流入させて浸出水１７として処理できる一方、堰部２５の下流側には移動しない。また、溝部９における堰部２５よりも下流側では、雨水等が廃棄物１５と接触しないため、そのまま外部環境に放出しても、外部環境の汚染を抑制し得る。このように、溝部９の埋め立てが堰部２５の下流側まで到達するまでは、該下流側の雨水等を外部環境に放出できるため、その分、浸出水１７の量を低減できる。特に、溝部１０の延在距離が長くなればなるほど、浸出水１７の低減効果が大きくなる。
また、屋根を建設する場合よりも、作業性に優れる。
従って、簡便に浸出水１７を低減でき、しかも、廃棄物１５の準好気的な埋立処理を十分に行うことが可能となる。
【００４２】
堰部２５の下流側の溝部１０内の水は、溝部１０の下流側（図１〜６の左側）端部において配管５１を通って集水ピット５３に流入し、該集水ピットから自然環境に放出するようになっている。また、堰部２５よりも下流側まで溝部１０に廃棄物１５が埋められた場合には、溝部１０から上記配管への水の移動を遮断し、該下流側で廃棄物１５と接触した水が溝部１０よりも内側に、すなわち、収容部５の底面部側に向かって流出するようになっている。
【００４３】
また、上記の通り、本実施形態の廃棄物埋立処理方法においては、各層１６での廃棄物１５の収容においては、廃棄物１５の外表面１５ａを、覆土（不図示）を介して被覆用遮水シート２１で覆う。
【００４４】
ここで、浸出水１７の量を低減する方法として、例えば、収容部５全体を屋根で覆う方法が考えられる。
しかし、この方法では、作業員が廃棄物１５を運搬、投棄するのに十分な高さを有する屋根を、収容部５全体を覆う大きさで建設する必要があるため、その分、大がかりな建設作業が発生する。また、屋根の維持管理作業も必要となる。
また、浸出水１７の量を低減する別の方法として、例えば、収容部５に廃棄物１５を収容した後、その上面を覆土で覆うことによって廃棄物１５に接触する雨水等を低減する方法が考えられる。
しかし、廃棄物１５を覆土で覆う方法では、覆土が雨水等を十分に保持できないため、該覆土を通過して廃棄物１５に到達する雨水等の量を十分に低減できず、その結果、浸出水１７を十分に低減できない。また、廃棄物１５の上部側の空隙に雨水等が入り込むと、通気性が妨げられるため、廃棄物１５内が嫌気的環境となり、その結果、廃棄物１５の準好気的な分解処理を十分に行うことができない。このように、廃棄物１５を覆土で覆うだけでは、廃棄物１５の準好気的な処理を十分に行うことが困難である。
しかし、廃棄物１５の外表面を被覆用遮水シートで覆うことによって、覆土で覆う場合よりも、埋め立ての過程において廃棄物１５への雨水等の流入を低減することができ、しかも、廃棄物１５の準好気的な分解処理を十分に行うことが可能になる。また、被覆用遮水シート２１で外表面１５ａを覆うだけでよいため、屋根を建設する場合よりも、作業性に優れる。
従って、簡便に浸出水１７をより低減でき、しかも、廃棄物１５の準好気的な埋立処理を十分に行うことが可能となる。
【００４５】
前記被覆用遮水シート２１は、雨水等が廃棄物１５に接触することを抑制するためのものである。この被覆用遮水シート２１で覆われた領域では、廃棄物１５に雨水等が接触することが抑制されるため、その分、浸出水１７の発生が抑制され得る。
被覆用遮水シート２１上の雨水等は、不図示の配管を通って外部環境に放出されるようになっている。
また、廃棄物１５の高さが段部９に到達し、被覆用遮水シート２１が段部９における溝部１０よりも内側まで覆っている場合には、被覆用遮水シート２１上の雨水等は、段部９の溝部１０に流入し、上記の通り、溝部１０の下流側端部から配管５１を通って集水ピット５３に送られた後、外部環境に放出されるようになっている。この場合、被覆用遮水シート２１上の雨水等が段部９の溝部１０に流入するように、被覆用遮水シート２１が傾斜されて配され、具体的には、外表面１５ａが傾斜するように廃棄物１５を収容することによって、被覆用遮水シート２１が傾斜されて配される。
さらに、段部９の溝部１０に上方から流入した雨水等も、上記同様、集水ピット５３に送られるようになっている。
また、被覆用遮水シート２１上の雨水等、及び、溝部１０に流入した雨水等を、直接外部環境に放出してもよい。
このように、被覆用遮水シート２１上の雨水等、及び、溝部１０に流入した雨水等は、廃棄物１５と接触することなく、外部環境に放出されるようになっている。
なお、溝部１０の下流側から排出される雨水等に廃棄物１５からの汚水源が混入する前に、該溝部１０の下流側端部と上記配管５１との連結が封鎖されるようになっている。
また、各層１６の形成において、各段部９または収容部５の最上部に到達するまでの間で廃棄物１５を収容していく際には、前述のように、廃棄物１５の外表面１５ａが傾斜しているように廃棄物１５を収容し、その上を、覆土（不図示）を介して被覆用遮水シート２１で覆い、傾斜している被覆用遮水シート２１の下方側端部に配された不図示の集水ピットに、被覆用遮水シート２１上の雨水等を送り、送られた雨水等を該集水ピットから不図示のポンプによって外部環境に放出してもよい。
【００４６】
被覆用遮水シート２１としては、廃棄物１５に雨水等が接触することを抑制し得るものであればよく、特に限定されるものではない。例えばビニール製のシート等が挙げられる。その他、例えば、収容部用遮水シート７と同様のシートを用いてもよい。
【００４７】
ここで、通常、収容部用遮水シート７は、収容部５に収容された廃棄物１５の重量がかかるうえに、被覆用遮水シート２１よりも長期間設置される。
よって、収容部用遮水シート７の方が被覆用遮水シート２１よりも耐候性が高く構成されていることによって、より確実に収容部５から地盤３への浸出水１７の流入を抑制し得る。
このような収容部用遮水シート７及び被覆用遮水シート２１の態様としては、例えば、収容部用遮水シート７が、上記のような５層構造のシートであり、被覆用遮水シート２１が、上記５層構造のうち保護マット層を有さず、且つ、上部及び下部遮水シート層のいずれか一方を有する１層構造の遮水シートであるような態様が挙げられる。
【００４８】
被覆用遮水シート２１が廃棄物１５を覆う範囲は、特に限定されるものではないが、廃棄物１５の外表面１５ａ（の面積）の半分以上が好ましく、外表面１５ａの全体を覆うことがより好ましい。
【００４９】
また、被覆用遮水シート２１が風雨等によって捲れたりしないように、被覆用遮水シート２１を廃棄物１５に対して固定することが好ましい。
固定方法としては、特に限定されないが、例えば、被覆用遮水シート２１に載置することによって被覆用遮水シート２１を前記外表面１５ａに対して固定する固定用部材（不図示）を用いて、被覆用遮水シート２１を、覆土（不図示）を介して外表面１５ａに対して固定することが挙げられる。
このような固定用部材によって外表面１５ａに被覆用遮水シート２１を固定することによって、より確実に、外表面１５ａを被覆用遮水シート２１で覆うことが可能となる。
【００５０】
かかる固定用部材としては、例えば、廃棄物１５に対して被覆用遮水シート２１を押えるように構成された長尺状の押え部と、該押え部から突出して廃棄物に突き刺されるように構成された釘状のピン部とを備えているものを用い得る。
これにより、長尺状の押え部の範囲で被覆用遮水シートを連続して押えることができ、その範囲で部分的に被覆用遮水シート２１が捲れることを抑制し得る。
また、固定用部材としては、土嚢を用い得ることもでき、さらに、該土嚢と、上記した押さえ部とピン部とを備えたものとを併用して用いることもできる。
【００５１】
次に、上記の通り、堰部２５を形成する態様について説明する。
【００５２】
例えば、堰部２５の形成する態様としては、図１０、図１１に示すように、
収容部５が、遮水構造を形成するための、遮水層（上部遮水シート）７ｄと、該遮水層の上面側に積層された水を通過させ得る空隙を有する保護層（保護マット層）７ｅとを有する収容部用遮水シート７を備えており、
溝部１０の表面部に配された収容部用遮水シート７の保護層７ｅ上に、水の通過を禁止する堰部用部材２８（ここではシート固定部２６と遮蔽用部材２７）を配し、且つ、
堰部用部材２８が配された保護層７ｅの空隙に、流動性を有し、且つ、硬化することによって前記空隙を塞いで水の通過を禁止する止水剤２９を注入することによって堰部２５を形成する態様が挙げられる。
【００５３】
ここで、遮水層７ｄと、該遮水層７ｄの上面側に積層された、水を通過させ得る空隙を有する保護層７ｅとを備えた収容部用遮水シート７を用いた場合には、シート固定部２６と遮蔽用部材２７とで堰部用部材２８を保護層７ｅ上に形成しても、堰部用部材（すなわちシート固定部２６）２８と遮水層７ｄとの間に存在する保護層７ｅの空隙内部を伝って廃棄物と接触した雨水（浸出水）が上流側から下流側に移動してしまうおそれがある。
しかし、保護層７ｅに止水剤２９を注入することによって、止水剤２９が空隙を埋めて塞ぐことになり（止水層が形成され）、これにより、保護層７ｅを伝って廃棄物と接触した雨水が上流側から下流側に移動することを抑制し得る。
このように、堰部用部材２８を設け、保護層７ｅに止水剤２９を注入するだけで堰部２５を形成し得るため、簡便である。
また、収容部用遮水シート７上にシート固定部２６を配した場合には、保護層７ｅを部分的に除去し、露出した遮水層７ｄ上に直接、堰部用部材２８を形成しようとしても、そのためにはシート固定部２６を部分的に破壊しなければならず、手間である。しかし、上記のように、止水剤２９を注入することによって、シート固定部２６を除去する手間が省ける。
【００５４】
上記止水剤２９としては、例えば、水と接触する前は流動性を有する液状または半固体状であり、且つ、水と接触して硬化することによって空隙を埋めて塞ぐものが挙げられ、このような１液型の止水剤として、例えば、１液型のポリウレタン樹脂系の止水剤が挙げられる。該１液型のポリウレタン樹脂系止水剤としては、例えばハイセル（登録商標）ＯＨ（東邦化学社製）といった市販品等が挙げられる。
また、他の止水剤としては、例えば、主剤と硬化剤との２つの液体とを有し、これら２液が別々に注入され、空隙内で混合されて硬化することによって、空隙を埋めて塞ぐものが挙げられる。このような２液型の止水剤として、例えば、主剤と硬化剤とを２液とする２液型のポリウレタン樹脂系の止水剤が挙げられる。
また、遮蔽用部材２７及び堰部用部材２８としては、例えば、コンクリートによって形成されたものが挙げられる。
【００５５】
また、例えば、堰部２５を形成する別の態様としては、図１２、図１３に示すように、
収容部５が、
遮水構造を形成するための、遮水層（上部遮水シート）７ｄと、該遮水層７ｄの上面側に積層された水を通過させ得る空隙を有する保護層（保護マット層）７ｅとを有し、堰部２５が形成される位置にて保護層７ｅが部分的に除去されて遮水層７ｄが部分的に露出している収容部用遮水シート７と、
遮水層７ｄの露出している部分（露出部分）から溝部１０の内周に沿って該溝部１０の内方に突出するように引き起こされるように、該遮水層７ｄの露出部分に連結された遮水片３０と、
遮水片３０を保護する保護部３１とを有しており、
図１４に示すように、保護部３１を除去して遮水片３０を露出させ、図１５、図１６に示すように、露出した遮水片３０を引き起こして、図１７、図１８に示すように、引き起こした遮水片３０に、溝部１０の空間を遮蔽するように遮水板３２を連結することによって堰部２５を形成することが好ましい。
【００５６】
ここで、遮水層７ｄと、該遮水層７ｄの上面側に積層された、水を通過させ得る空隙を有する保護層７ｅとを備えた収容部用遮水シート７を用いた場合には、シート固定部２６と遮蔽用部材２７とで堰部用部材２８を保護層７ｅ上に形成しても、堰部用部材（すなわちシート固定部２６）２８と遮水層７ｄとの間に存在する保護層７ｅの空隙内部を伝って廃棄物と接触した雨水（浸出水）が上流側から下流側に移動してしまうおそれがある。
しかし、収容部５が、遮水層７ｄの露出部分から溝部１０の内周に沿って該溝部１０の内方に突出するように引き起こされるように、該露出部分に連結された遮水片３０と、遮水片３０を保護する保護部３１とを有しており、保護部３１を除去して遮水片３０を露出させ、露出した遮水片３０を引き起こし、引き起こした遮水片３０に、溝部１０の空間を遮蔽するように遮水板３２を連結して堰部２５を形成することによって、水を通過し得る保護層７ｅを間に介することなく、遮水層７ｄと遮水片３０とを連結させ得る。また、堰部２５が必要になるときまでは、保護部３１よって遮水片３０を保護することができる。そして、堰部２５を形成する際には、保護部３１を除去して遮水片３０を露出させ、遮水片３０を引き起こして露出させた遮水片３０を遮水板３２と連結することによって堰部２５を形成することができ、これにより、遮水板３２、遮水片３０及び遮水層７ｄによって水の移動を堰き止めることができる。
このように、保護部３１を除去して遮水片３０を引き起こし、該遮水片３０と遮水板３２とを連結するだけで、保護層７ｅの空隙を伝って廃棄物と接触した雨水が移動することを抑制しつつ、堰部２５を形成できるため、簡便である。しかも、堰部２５を形成するまでは、保護部７ｅで遮水片３０を保護することができるため、日射等に晒されて遮水片が劣化することを抑制し得る。
ここで、収容部用遮水シート７上にシート固定部２６を配した場合には、保護層７ｅを部分的に除去し、露出した遮水層７ｄ上に遮水板３２を連結しようとしても、そのためにはシート固定部２６を部分的に破壊しなければならず、手間である。一方、予めシート固定部２６を部分的に除去していても、保護層７ｅが遮水層７ｄを覆っていると、該保護層７ｅを部分的に除去しなければならず、手間である。しかし、シート固定部２６を部分的に除去しておけば、堰部２５を形成するためにシート固定部２６を除去する手間が省ける。また、保護層７ｅを部分的に除去しておけば、堰部２５を形成するために保護層７ｅを除去する手間が省ける。
【００５７】
遮水片３２としては、例えば、遮水層７ｄと同じ形成材料から形成されたものが挙げられる。
【００５８】
具体的には、図１３に示すように、溝部１０内のシート固定部２６が、遮水片３０が配される空間が形成されるように、溝部１０の延在方向（図１３の左右方向）に所定の長さだけ、該延在方向と垂直な方向全体にわたって部分的に除去されて分断されている。より具体的には、溝部１０に２つの板状の型枠部３１ａを所定の間隔を空けて設置し、これらの間の空間を残してコンクリートを流し込むことによって、分断されたシート固定部２６が形成されている。上記空間では、収容部用遮水シート７が露出している。
また、上記空間では、収容部用遮水シート７の保護層７ｅが部分的に除去されており、これにより、遮水層７ｄが露出されている（図１４参照）。また、分断された各保護層７ｅの分断側の端部は、上記空間内に突出している。また、分断された各保護層７ｅ間に、凹部が形成されている。
【００５９】
遮水片３０は、上記凹部に配されており、遮水層７ｄの露出部分から溝部１０の内周に沿って該溝部１０の内方に突出するように引き起こされるように、該露出部分に連結されている。
より具体的には、遮水片３０は、上記幅方向全体にわたって遮水層７ｄと接着された第１の部分３０ａと、引き起こされて内方に突出するように該第１の部分３０ａから延在している第２の部分３０ｂとを有しており、該第２の部分３０ｂが引き起こされて、遮水板３２と連結されるようになっている（図１４、図１５、図１６参照）。
【００６０】
遮水板３２は、遮水片３０と連結されて、該遮水片３０と共に溝部１０内の水の通過を禁止するためのものである。
遮水板３２としては、遮水層７ｄ及び遮水片３０と同じ形成材料から形成されたものが挙げられる。
【００６１】
保護部３１は、上記した型枠部３１ａと、遮水片３０を覆いつつ、分断された各保護層７ｅの端部の底面側同士に架け渡されるようにして載置された保護用シート３１ｂと、該保護用シート３１ｂの上方から上記空間を埋めるように砂が収容されて形成された砂部３１ｃと、該砂部３１ｃの上面を覆うコンクリート構造体等の覆い部３１ｄとを有している。
【００６２】
そして、堰部２５を形成するには、まず、図１４に示すように、覆い部３１ｄを除去し、砂部３１ｃを除去し、保護用シート３１ｂを除去して遮水片３０を露出させる。また、型枠部３１ａも除去する。次いで、図１５、図１６に示すように、露出した遮水片３０の第２の部分３０ｂを引き起こし、図１７、図１８に示すように、引き起こした第２の部分３０ｂと遮水板３２とを連結する。
【００６３】
なお、遮水片３０の第２の部分３０ｂを引き起こす際、溝部１０の底面側と側面側との境界付近で第２の部分３０ｂが撓む場合には、撓みによって生じた不要部分を除去して遮水板３２と貼り合わせて連結したり、遮水板３２と貼り合わせて連結した後、撓みによて生じた隙間をコーキング剤等で塞げばよい。
【００６４】
また、図１７、図１８に示すように、遮水片３０に遮水板３２を連結した後、これらを、コンクリート構造体によって形成された遮水板用固定部３３によって覆う。かかる遮水板用固定部３３で覆うことによって、より確実に遮水片３０及び遮水板３３による堰き止め機能を発揮させ得る。具体的には、遮水片３０と遮水板３２とを連結した後、上記空間にコンクリートを投入して硬化してコンクリート構造体とすることによって、遮水板用固定部３３を形成し得る。
【００６５】
以上の通り、本実施形態について説明したが、本発明は、上記実施形態に限定されるものではなく、適宜設計変更することができる。
【００６６】
例えば、上記実施形態では、廃棄物１５の外表面１５ａに覆土（不図示）を介して被覆用遮水シート２１を覆う態様を示したが、本発明においては、廃棄物１５の外表面１５ａ上に覆土を介することなく被覆用遮水シート２１で外表面１５ａを覆ってもよい。
また、１層目の層１６ａを形成する際にも、２層目以降の層１６ａ〜１６ｄを形成する場合と同様に、さらに複数の層（小分け層）に分けて敷いていき、各小分け層を敷いたとき、該各小分け層を構成する廃棄物１５の外表面１５ａを、覆土を介して被覆用遮水シート２１で覆ってもよい。この場合においても、次の小分け層を形成すべく廃棄物１５を敷いていくときには、被覆用遮水シート２１を捲り、捲った側の端部の位置に区画堰を形成し、該区画堰上に被覆用遮水シート２１の上記捲った側の端部が載置されるように、覆土を介して被覆用遮水シート２１で覆ってもよい。この場合、直前の小分け層用の被覆用遮水シート２１が捲られて直前の層が露出された側では、次の小分け層を形成する廃棄物１５の外表面１５ａが次の小分け層用の被覆用遮水シート２１で覆われ、直前の小分け層用の被覆用遮水シート２１が残った側では、当該被覆用遮水シート２１の捲られた側の端部が区画堰上に位置することになる。また、この場合においても、被覆用遮水シート２１を傾斜させて、該被覆用遮水シート２１上の雨水を集水ピットに流入させてもよい。
【００６７】
以下、実施例を挙げて本発明をより詳細に説明するが、本発明はこれらに限定されるものではない。
【実施例】
【００６８】
以下のようにして、廃棄物の外表面を被覆用遮水シートで覆うこと（シートキャッピング）による準好気的な処理機能への影響を調べた。
図１９に示すような上面視の形状を有する収容部、図１に示すような集排水管部及び浸出水処理部を有する廃棄物埋立設備（埋立容量４７万ｍ３）を施工した。収容部には、５ｍごとに段部を設けた。集排水管部として、ポリエチレン製であって、円筒状の幹線部（φ６００ｍｍ）と円筒状の枝管部（φ１５０ｍｍ）とを有し、枝管部が幹線部から分岐して収容部の底面部に沿って延び、さらに側面部に沿って上方に、先端が廃棄物の外表面よりも上方に突き出して外部環境に露出しているように延びている形状に形成された管を用いた。また、枝管部は、少なくとも図１９に示す地点Ｂ〜Ｈにおいて廃棄物よりも上方に突き出しているように設置した。この廃棄物埋立設備の収容部に廃棄物を段部ごとに順次投入し、覆土を設置して埋め立てを行い、シートキャッピングを施さなかった場合と、シートキャッピングを施した場合とで浸出水の発生状況等を調べた。
具体的には、２００５年１２月（２００６年８月にデータ測定開始）から２０１５年７月まで順次、収容部に廃棄物を収容して、埋め立てを行った。
この期間のうち、２００８年１月から２００８年７月までの６ヵ月間、及び、２００９年１月から２０１０年１月までの１年間、収容された廃棄物の外表面（外部環境と接する面）の地点Ａ〜地点Ｈのうち、所定の箇所を、覆土を介して被覆用遮水シートで覆った。
【００６９】
・ガスの発生等の測定
２００６年８月から２０１５年７月まで、廃棄物からのガスの発生、廃棄物の表面（外表面）温度、月積算降雨量をモニタリングし、各月の平均値を得た。
ガスモニタリングは、図１９のＢ〜Ｈの７箇所にそれぞれ位置する枝管部の先端から放出されるガスの種類及び濃度を、ガスモニター（ポータブルガスモニター  ＧＸ−２０１２、理研計器株式会社製）によって測定した。
また、この各７箇所の枝管部の先端において、温度計（防水型中心温度計ＡＤ−５６２５、株式会社エー・アンド・デー社製）を用いて表面温度を測定した。
さらに、転倒ます式雨量計（ＷＢ００１１−００−００、横河電子機器株式会社製）によって、上記各７箇所での積算降雨量を測定した。
Ｂ地点での結果を図２０及び図２１に示し、Ｅ地点及びＦ地点での結果を図２２及び図２３に示す。
【００７０】
図２０及び図２１は、Ｂ地点での結果である。
図２０及び図２１に示すように、２００８年１月から６ヵ月間、及び、２００９年１月から１年間、Ｂ地点の廃棄物の外表面を、覆土を介して遮水シートで覆った。
この各期間に、月間３００ｍｍを超える降水があったが、嫌気的処理によって発生するガスである硫化水素及びメタンガスの発生は認められなかった。一方、酸素ガス濃度は２１％であり、廃棄物中に集排水管部を通して外部環境から十分な空気が流入されていることがわかった。
一方、全期間を通して、表面温度については、初期は３０℃〜５℃と外気の影響を受けているが、徐々に最小温度が上昇し、図示はしないが、２０１３年以降は１８℃〜３３℃程度とさらに上昇傾向にあった。このことから、廃棄物内の好気化が進んでいるものと推察される。
【００７１】
一方、シートキャッピングを行っていない期間のうち、２００７年７月、及び、図示はしないが２０１０年７月は、硫化水素ガスがそれぞれ４５ｐｐｍ、１５ｐｐｍに上昇していた。この時期の月間降雨量は７５０ｍｍ〜８００ｍｍである。
このことから、降水量の多い時期には、埋め立てした廃棄物の外表面側（上側）部分の間隙が雨水等で充填されて飽和状態となり、その結果、通気障害を起こし、一時的に廃棄物内が嫌気的な環境状態になったものと推察される。
【００７２】
ここで、従来、シートキャッピングされている部分は通気性が阻害されて嫌気的環境になると従来懸念されていた。
しかし、上記結果より、本実施例によれば、シートキャッピングを施すことによって、埋め立てされた廃棄物の外表面側部分の水が排除されて廃棄物中に流入せず、且つ、集排水管部から空気が供給されることによって、廃棄物内が好気的環境状態に保たれ得ることがわかった。よって、シートキャッピングは準好気的な分解機能を阻害せず、むしろ有利に働くものと推察される。
【００７３】
図２２及び図２３は、Ｅ地点及びＦ地点での結果である。
図２２に示すように、Ｅ地点では、２００９年１月から１年間、シートキャッピングを施した。その結果、上記Ｂ地点と同様、シートキャッピングを施した期間では、降雨が多い時期であっても、硫化水素の発生が抑制された。
一方、図２３に示すように、Ｆ地点では、シートキャッピングを一切行わなかった。その結果、硫化水素ガス濃度が上昇するとともに、酸素ガス濃度が低下する傾向にあった。この理由としては、上記と同様、降雨量が多い時期には廃棄物の外表面側部分の空隙に雨水等が充満し、廃棄物内が嫌気的環境状態となったことによるものと考えられる。
【００７４】
・空気流入量の測定
集排水管部への空気流入量を、集排水管部（幹線部）の下流側末端部（Ａ地点）において、図２４に示すように、集排水管部内の９箇所について風速計（アネモマスター風速計、ＭＯＤＥＬ：６００４、日本カノマックス社製）を用いて風速及び風量を測定した。測定は２０１１年８月から開始し、現在まで継続して実施した。また、集排水管部内にカメラを挿入し、目視確認を行った。
結果を表１に示す。
【００７５】
【表１】
2017136525.tif 000003
【００７６】
表１に示すように、風速は０．１０〜２．４０ｍ／ｓであり、集排水管部の上下方向中心より上部側の風速の方が下部側よりも大きく、管部の底部側がやや風速が小さい傾向が伺えた。風量は平均風速に円筒状の集排水管部（幹線部、内径６００ｍｍ）内部の断面積を乗じて求め、８．６〜２８．４ｍ３／分（０．５１〜１．６７ｍ３／秒）と計算された。また、表には示さないが、２０１４年１２月以降の１年間は風速１．５ｍ／秒以上、風量２５ｍ３／分を保っていた。
別途、廃棄物として生ごみを用いて実施した実験では、準好気的な埋立処理での空気流入量の最大値は、廃棄物１ｍ３あたり１．５Ｌ／分であった。本実施例では、生ごみを埋立処理したものではないが、２０１４年時点の埋立廃棄物量（約４１００００ｍ３）で空気量を除してみると０．０７Ｌ／分／ｍ３となる。これは、実験値の約５％ではあるが、埋立廃棄物の質（実施例では熱灼原料が多いこと）から考えて、本実施例では準好気的な分解処理が十分に行われているものと推察される。
【００７７】
また、表１より、廃棄物の埋め立てが進むにつれて、時間換算で１６００〜１７００ｍ３の空気が集排水管部から供給されるようになることが分かった。よって、通気、通水機能は良好に機能していると判断し得る。定期的に集排水管部内の清掃を行うことによって、より確実に廃棄物内を準好気的環境に保ち得ることがわかった。
【００７８】
さらに、従来、シートキャッピングによる廃棄物内の嫌気化が懸念されたが、上記に示すように、シートキャッピングした部分では嫌気化が回避され得ることが分かった。むしろ、本実施例のように降水量が多い地域においては、シートキャッピングしない部分から硫化水素ガスの発生が認められた。これは、降水により、収容された廃棄物の外表面側部分の間隙が雨水等で充満して飽和状態となって嫌気化し、硫化水素ガス等が発生したものと推察される。
【００７９】
ここで、特に年間降雨量が２０００ｍｍ／年を超えるような地域においては施設規模が大きくなると同時に、近年のゲリラ豪雨等により、未処理浸出水の流出事故リスクがあるため、屋根を有する設備を建設するケースも考えられる。
また、本実施例の廃棄物埋立設備は、年降水量が全国平均の１７００ｍｍに対して２４６０ｍｍと４０％以上も多い高降雨量地域であるため、その分、浸出水の量も多くなる。
このような状況下、多降水量地域においてシートキャッピングを用いた埋立方法は、低コストで安全な浸出水の管理が可能である。さらに、シートキャッピングは、雨水排除機能のみならず、埋め立てした廃棄物の通気性が維持されるため、準好気的な埋立処理を十分に行い得る。
【００８０】
以上のように本発明の実施形態及び実施例について説明を行なったが、各実施形態及び実施例の特徴を適宜組み合わせることも当初から予定している。また、今回開示された実施形態及び実施例はすべての点で例示であって制限的なものではないと考えられるべきである。本発明の範囲は上記した実施形態及び実施例ではなくて特許請求の範囲によって示され、特許請求の範囲と均等の意味及び範囲内でのすべての変更が含まれることが意図される。
【符号の説明】
【００８１】
１：廃棄物埋立処理設備、３：地盤、５：収容部、７：収容用遮水シート、９：段部、１０：溝部、１３：集排水管部、１５：廃棄物、１５ａ：外表面、１６：層、１７：浸出水、２１：被覆用遮水シート、２５：堰部、２６：シート固定部、２７：遮蔽用部材、２８：堰部用部材、２９：止水剤、３０：遮水片、３１：保護部、３２：遮水板、３３：遮水板用固定部、４０：浸出水処理部
【図１】
2017136525.tif 000004
【図２】
2017136525.tif 000005
【図３】
2017136525.tif 000006
【図４】
2017136525.tif 000007
【図５】
2017136525.tif 000008
【図６】
2017136525.tif 000009
【図７】
2017136525.tif 000010
【図８】
2017136525.tif 000011
【図９】
2017136525.tif 000012
【図１０】
2017136525.tif 000013
【図１１】
2017136525.tif 000014
【図１２】
2017136525.tif 000015
【図１３】
2017136525.tif 000016
【図１４】
2017136525.tif 000017
【図１５】
2017136525.tif 000018
【図１６】
2017136525.tif 000019
【図１７】
2017136525.tif 000020
【図１８】
2017136525.tif 000021
【図１９】
2017136525.tif 000022
【図２０】
2017136525.tif 000023
【図２１】
2017136525.tif 000024
【図２２】
2017136525.tif 000025
【図２３】
2017136525.tif 000026
【図２４】
2017136525.tif 000027
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部は、上下方向に複数の段部を有し、
前記段部は、前記上下方向と交差する方向に、且つ、一方から他方に向けて水が流れるように傾斜して延びているように形成された溝部を有しており、
前記収容部への前記廃棄物の収容においては、
前記収容部の底面部から順次各段部に到達するまでをそれぞれ一の層として、複数の層に分けて前記廃棄物を下側から順次収容し、
前記複数の層の各層を形成したとき、該各層を被覆用遮水シートで覆い、且つ、該各層が到達した段部の溝部に該被覆用遮水シート上の雨水が流入するように該被覆用遮水シートを傾斜して配し、
前記複数の層のうち２層目以降の各層での前記廃棄物の収容では、
前記水の流れ方向上流側から下流側への水の移動を堰き止めることが可能な堰部を前記段部の溝部に形成し、
前記被覆用遮水シートを順次捲りつつ、前記廃棄物を直前に形成した層上に、該層が到達した段部の溝部を埋めながら前記上流側から下流側に向けて敷いていき、且つ、
前記堰部よりも前記上流側にて前記溝部で前記廃棄物と接触した水を前記浸出水として処理し、前記堰部よりも前記下流側にて前記溝部で前記廃棄物と接触していない水を外部環境に放出する、廃棄物埋立処理方法。
【請求項２】
前記収容部は、前記遮水構造を形成するための、遮水層と、該遮水層の上面側に積層された水を通過させ得る空隙を有する保護層とを有する収容部用遮水シートを備えており、
前記溝部の表面部に配された前記収容部用遮水シートの前記保護層上に、水の通過を禁止する堰部用部材を配し、且つ、
前記堰部用部材が配された前記保護層の前記空隙に、流動性を有し、且つ、硬化することによって前記空隙を塞いで水の通過を禁止する止水剤を注入することによって、前記堰部を形成する、請求項１に記載の廃棄物埋立処理方法。
【請求項３】
前記収容部は、
前記遮水構造を形成するための、遮水層と、該遮水層の上面側に積層された水を通過させ得る空隙を有する保護層とを有し、前記堰部が形成される位置にて前記保護層が部分的に除去されて前記遮水層が部分的に露出している収容部用遮水シートと、
前記遮水層の露出している露出部分から前記溝部の内周に沿って前記溝部の内方に突出するように引き起こされるように、前記露出部分に連結された遮水片と、
前記遮水片を保護する保護部とを有しており、
前記保護部を除去して前記遮水片を露出させ、露出した前記遮水片を引き起こし、引き起こした前記遮水片に前記溝部の空間を遮蔽するように遮水板を連結することによって前記堰部を形成する、請求項１に記載の廃棄物埋立処理方法。
【請求項４】
前記各層での前記廃棄物の収容においては、前記廃棄物の外表面を被覆用遮水シートで覆う、請求項１〜３のいずれかに記載の廃棄物埋立処理方法。